(57)【要約】【課題】  立体駐車場の駐車階と車両の駐車位置を覚えていなくても、立体駐車場内の駐車位置に容易に戻れるように利用客を案内する手段を備えたエレベータ制御システムを提供する。【解決手段】  他と識別可能な固有の発券情報を記録した駐車券１０１を発行する発券機５０１と、各階の駐車位置近くで駐車券１０１の情報を読み取りその駐車位置情報を出力する駐車情報リーダ１０２と、発券情報と位置情報とを対応づけて格納する情報サーバ２０１と、駐車位置に戻る際に駐車券の発券情報に応じて位置情報を情報サーバ２０１から読み出しエレベータの行先を決定するとともに利用客に行先階および駐車位置を案内する行先階決定手段３０４と、行先階に乗りかごを駆動するエレベータ制御手段３０５とからなるエレベータ制御システム。【選択図】        図１
2005239301.tif 000002
【特許請求の範囲】
【請求項１】
他と識別可能な固有の発券情報を記録した駐車券を発行する発券機と、
各階の駐車位置近くで前記駐車券の情報を読み取りその駐車位置情報を出力する駐車情報リーダと、
前記発券情報と前記位置情報とを対応づけて格納する情報サーバと、
駐車位置に戻る際に前記駐車券の発券情報に応じて前記位置情報を前記情報サーバから読み出しエレベータの行先を決定するとともに利用客に行先階および駐車位置を案内する行先階決定手段と、
前記行先階に乗りかごを駆動するエレベータ制御手段と
からなるエレベータ制御システム。
【請求項２】
請求項１に記載のエレベータ制御システムにおいて、
建物内での利用状況を記録するレジと、
前記利用状況に応じて駐車料金を精算する精算機とを備えた
ことを特徴とするエレベータ制御システム。
【請求項３】
請求項１または２に記載のエレベータ制御システムにおいて、
駐車位置に戻る際に提示された駐車券が当該駐車場の駐車券か否かを判別する照合確認手段を備えた
ことを特徴とするエレベータ制御システム。
【請求項４】
請求項１ないし３のいずれか一項に記載のエレベータ制御システムにおいて、
前記行先階への到着直前に前記行先階および駐車位置を利用客に再度案内する案内情報出力処理手段を備えた
ことを特徴とするエレベータ制御システム。
【発明の詳細な説明】
【技術分野】
【０００１】
本発明は、立体駐車場用エレベータ制御システムまたは立体駐車場を併設した建物のエレベータ制御システムに係り、特に、立体駐車場内の駐車位置に容易に戻れるように利用客を案内するエレベータ制御装置に関する。
【背景技術】
【０００２】
従来、立体駐車場専用エレベータまたは立体駐車場を併設した建物のエレベータを利用して駐車位置に戻るには、立体駐車場の駐車階と車両の駐車位置とを覚えておき、エレベータ乗りかご内の行先階ボタンを押す必要があった。
【０００３】
しかし、買い物に夢中になったりすると、立体駐車場の駐車階を忘れてしまうことがある。また、エレベータの扉が開いた瞬間に各階を区別できるように工夫してある駐車場はほとんど無く、どの階も同じように見えるので、駐車階を思い出すことは困難である。
【０００４】
平面駐車場については、どの場所に駐車しているかを容易に知るための駐車位置確認装置が提案されている(例えば、特許文献１参照)。
【０００５】
【特許文献１】特開平１０−１１６３９９号公報（第３〜４頁、図１〜図３）
【発明の開示】
【発明が解決しようとする課題】
【０００６】
上記特許文献１の方式では、駐車位置を検出して判定し駐車情報を記憶するには、車両検出手段としてカメラなどを設置しており、立体駐車場の場合は、階数に応じた数の光学的駐車検出手段が必要になり、設置コストがかかる。
【０００７】
また、液晶表示パネルを備えた特殊な駐車券を採用しており、この駐車券が壊れたり、利用客がこれを紛失したりすると、補充しなければならず、運用コストを無視できない。
【０００８】
できれば、従来の駐車券と同程度の運用コストにすることが求められている。
【０００９】
本発明の目的は、立体駐車場の駐車階と車両の駐車位置を覚えていなくても、立体駐車場内の駐車位置に容易に戻れるように利用客を案内する手段を備えたエレベータ制御システムを提供することである。
【課題を解決するための手段】
【００１０】
本発明は、上記目的を達成するために、他と識別可能な固有の発券情報を記録した駐車券を発行する発券機と、各階の駐車位置近くで駐車券の情報を読み取りその駐車位置情報を出力する駐車情報リーダと、発券情報と位置情報とを対応づけて格納する情報サーバと、駐車位置に戻る際に駐車券の発券情報に応じて位置情報を情報サーバから読み出しエレベータの行先を決定するとともに利用客に行先階および駐車位置を案内する行先階決定手段と、行先階に乗りかごを駆動するエレベータ制御手段とからなるエレベータ制御システムを提案する。
【００１１】
さらに、建物内での利用状況を記録するレジと、利用状況に応じて駐車料金を精算する精算機とを備えることができる。
【００１２】
駐車位置に戻る際に提示された駐車券が当該駐車場の駐車券か否かを判別する照合確認手段を備えてもよい。
【００１３】
いずれのエレベータ制御システムにおいても、行先階への到着直前に行先階および駐車位置を利用客に再度案内する案内情報出力処理手段を備えることができる。
【発明の効果】
【００１４】
本発明のエレベータ制御システムによれば、利用客は、立体駐車場の駐車階と車両の駐車位置とを記憶せずに駐車でき、買い物などの間の心理的負担が無くなる。
【００１５】
店舗にとっては、利用客が行先を迷わずに済むので、乗りかごの階床停止時間を短縮でき、輸送力を高め利用客の不満感を解消し、利用効率を上げることができる。
【発明を実施するための最良の形態】
【００１６】
次に、図面を参照して、本発明による立体駐車場用エレベータ制御システムまたは立体駐車場を併設した建物のエレベータ制御システムの実施形態を説明する。
【００１７】
図１は、本発明によるエレベータ制御システムの機能構成を示すブロック図である。
【００１８】
本実施形態のエレベータ制御システムは、駐車券１０１を発行する発券機５０１と、駐車券１０１から情報を読み取る駐車情報リーダ１０２と、データベース情報サーバ２０１と、エレベータ制御装置３００と、映像表示手段４０１，４０２，４０３と、音声アナウンス手段４０４，４０５，４０６と、店舗などのレジ５０２と、駐車料金の精算機５０３とからなる。
【００１９】
エレベータ制御装置３００は、事前配車処理手段３０１と、入力処理手段３０２と、照合確認手段(判別手段)３０３と、行先階決定手段３０４と、本来のエレベータ制御手段３０５と、案内情報出力処理手段３０６とを含んでいる。
【００２０】
利用客は、立体駐車場への入場時に発券機５０１から駐車券１０１を取る。この駐車券１０１は、固有の情報を例えばＩＣタグ，磁性体，バーコードなどに保持している。利用客は、駐車位置に近い壁や柱に設置された駐車情報リーダ１０２に駐車券１０１の固有情報を読ませ、駐車スペース番号や駐車した階をデータベース情報サーバ２０１に登録させる。
【００２１】
利用客が、買い物などを済ませて駐車場に戻るとき、エレベータの押しボタン近くの入力処理手段すなわち駐車券リーダ３０２に駐車券１０１を読ませると、データベース情報サーバ２０１が行先階をエレベータ制御装置３００に登録し、利用客にエレベータサービスを提供する。
【００２２】
入力された情報を取り込んだ照合確認手段３０３は、駐車券１０１がそのエレベータのサービス対象に該当しない場合、例えば、他店の駐車券であった場合や同じ建物の駐車場であっても第２第３など他の立体駐車場の駐車券であった場合などに、映像表示手段４０１にこのエレベータのサービス対象ではないことを表示し、かつ／または音声アナウンス手段４０４で案内する。
【００２３】
駐車券１０１がこのエレベータのサービス対象である場合、データベース情報サーバ２０１から行先階データを取り出し、行先階決定手段３０４に送る。
【００２４】
行先階決定手段３０４は、その行先階データに基づき行先階を決定し、行先階をエレベータ制御手段３０５に指令し、映像表示手段４０２に表示し、かつ／または音声アナウンス手段４０４で案内する。
【００２５】
案内情報出力処理手段３０６は、利用客が駐車場の階数や駐車場の中の駐車位置を記憶していなくても、乗りかごが行先階に到着する前に、映像表示手段４０３に利用客が降りるべき階数と駐車位置を表示させ、かつ／または音声アナウンス手段４０６に利用客が降りるべき階数と駐車位置とをアナウンスさせる。
【００２６】
エレベータ制御手段３０５は、目的の階に到着したら、扉を開閉する。
【００２７】
なお、駐車場に戻らず更に買い物をする利用客が別の階に移動するには、通常通りエレベータの行先階ボタンを押せばよい。
【００２８】
店舗などのレジ５０２と駐車料金の精算機５０３とを連携させると、駐車券１０１のタグに店内で買い物をしたことを記録し、駐車料金を無料にしたり、買い物の金額に応じて駐車料金を割り引く機能を持たせることもできる。
【００２９】
本実施形態のエレベータ制御システムによれば、利用客は、立体駐車場の駐車階と車両の駐車位置とを記憶せずに駐車でき、買い物などの間の心理的負担が無くなる。
【００３０】
店舗にとっては、利用客が行先を迷わずに済むので、乗りかごの階床停止時間を短縮でき、輸送力を高め利用客の不満感を解消し、利用効率を上げることができる。
【００３１】
なお、エレベータ待ち時間を短縮するために、データ登録と同時にエレベータを呼ぶ事前配車処理手段３０１を採用し、事前配車処理サービスを提供してもよい。
【図面の簡単な説明】
【００３２】
【図１】本発明によるエレベータ制御システムの機能構成を示すブロック図である。
【符号の説明】
【００３３】
１０１  駐車券
１０２  駐車情報リーダ
２０１  データベース情報サーバ
３００  エレベータ制御装置
３０１  事前配車処理手段
３０２  入力処理手段
３０３  照合確認手段(判別手段)
３０４  行先階決定手段
３０５  エレベータ制御手段
３０６  案内情報出力処理手段
４０１  映像表示手段
４０２  映像表示手段
４０３  映像表示手段
４０４  音声アナウンス手段
４０５  音声アナウンス手段
４０６  音声アナウンス手段
５０１  発券機
５０２  レジ
５０３  精算機
【図１】
2005239301.tif 000003